(57)【要約】【課題】既設の波形屋根材の上に、新たな屋根材を張り付けるための母屋材を容易且つ迅速に取り付けることのできる屋根補修用金具を提供する。【解決手段】既設の波形屋根材４の上に、新たな屋根材を張り付けるための母屋材８を支持する屋根補修用金具１であって、既設の波形屋根材４から上方へ突出している屋根材固定ボルト５を挿通するボルト挿通孔２ｃが形成された母屋材支持面２ａと、その母屋材支持面２ａの両端から下方へ折り曲げられて既設の波形屋根材４の山部４ａを跨ぐ一対の支持脚部２ｂ，２ｂからなる支持具２と、この支持具２に取付けられて既設の波形屋根材４の屋根材固定ボルト５を側方から押圧する押圧具３とからなる構成とする。屋根材固定ボルト５をボルト挿通孔２ｃに挿通して、該屋根材固定ボルト５を押圧具３で側方から押圧するだけで、簡単且つ迅速に屋根補修用金具１を既設の波形屋根材４に取り付けることができる。【選択図】図２
2008008024.tif 000002
【特許請求の範囲】
【請求項１】
既設の波形屋根材の上に、新たな屋根材を張り付けるための母屋材を支持する屋根補修用金具であって、
既設の波形屋根材から上方へ突出している屋根材固定ボルトを挿通するボルト挿通孔が形成された母屋材支持面と、その母屋材支持面の両端から下方へ折り曲げられて既設の波形屋根材の山部を跨ぐ一対の支持脚部からなる支持具と、
この支持具に取付けられて既設の波形屋根材の屋根材固定ボルトを側方から押圧する押圧具とからなる屋根補修用金具。
【請求項２】
既設の波形屋根材の屋根材固定ボルトを側方から押圧する押圧具がボルトであって、支持具の母屋材支持面側方に、上記ボルトを螺合するネジ孔が形成されたことを特徴とする請求項１に記載の屋根補修用金具。
【請求項３】
既設の波形屋根材の屋根材固定ボルトを押圧するボルトが蝶ネジであることを特徴とする請求項２に記載の屋根補修用金具。
【請求項４】
既設の波形屋根材の屋根材固定ボルトを側方から押圧する押圧具が楔材であって、母屋材支持面のボルト挿通孔の近傍に楔材を打込む楔材打込み部が設けられ、その楔材打込み部に楔材を打込むことで屋根材固定ボルトを側方から押圧することを特徴とする請求項１に記載の屋根補修用金具。
【請求項５】
既設の波形屋根材の屋根材固定ボルトを押圧する楔材の斜面に、該屋根材固定ボルトの外周面と係合する弯曲した凹部が一定の間隔で複数形成されたことを特徴とする請求項４に記載の屋根補修用金具。
【発明の詳細な説明】
【技術分野】
【０００１】
本発明は、老朽化が進んだ工場などの波形屋根材の上に、新たな屋根材を張り付けるための屋根補修用金具に関するものである。
【背景技術】
【０００２】
戦後、工場などの建物の屋根材として、安価で耐火性、耐水性、耐久性に優れた、石綿にセメントを混ぜ込んだスレートなどが好適に使用されてきたが、それらの老朽化に伴い雨漏りなどの補修を行う必要が生じてきた。既存のスレートを張り替えての補修は、工場の業務を停止するなど大規模な措置を講ずる必要があるため、通常は、既存のスレートの上に新たに波板又は折版などの屋根材を張り付けるという補修が一般的である。
【０００３】
周知のように、スレートには人体に悪影響を及ぼすアスベストが含有されており、既存のスレートにドリル等で穿孔するなどして新たな屋根材の基礎を設けるという補修は粉塵が工場内に落下してしまう恐れがある。そのため、新たな屋根材を張り付けるのに、例えば、既存のスレート板の外表面に配設される複数の支持金具と、新たな屋根材を支持するための支持面を有する外装下地材とで構成され、上記支持金具は、既存のスレート板の山部を跨いでその両側の谷部に配置される一対の脚部と、既存のスレート板の外表面から突出している既存のボルトの先端部に螺合された締付ナットとナット座金との隙間に挿入されて係止される挿入係止部と、外装下地材を支持するための外装下地材支持面とを備えた外装材葺替用治具などを用いることが多い（特許文献１）。
【０００４】
しかしながら、上記の外装材葺替用治具は、スレート板から突出している既存のボルトに螺合されている締付ナットを一旦緩め、締付ナットとナット座金との間に生じた隙間に支持金具の挿入係止部を挿入して、再びナットを締め付けて支持金具を固定するものなので、経年劣化で錆び付いたボルトから締付ナットを緩めたり締め付けたりの作業は簡単ではなく、時にはボルトのネジ山を潰したりボルト自体を折ってしまうなど、施工に多大な時間と労力を要するという問題があった。
【特許文献１】特開２００２−１４６９７３号公報
【発明の開示】
【発明が解決しようとする課題】
【０００５】
本発明は上記の問題に対処すべくなされたもので、既設の波形屋根材から上方へ突出している屋根材固定ボルトに締め付けられているナットに一切手を触れることなく、新たな屋根材を張り付けるための母屋材を容易且つ迅速に取り付けることのできる屋根補修用金具を提供することを解決課題としている。
【課題を解決するための手段】
【０００６】
上記課題を解決するため、本発明に係る屋根補修用金具は、既設の波形屋根材の上に、新たな屋根材を張り付けるための母屋材を支持する屋根補修用金具であって、既設の波形屋根材から上方へ突出している屋根材固定ボルトを挿通するボルト挿通孔が形成された母屋材支持面と、その母屋材支持面の両端から下方へ折り曲げられて既設の波形屋根材の山部を跨ぐ一対の支持脚部からなる支持具と、この支持具に取付けられて既設の波形屋根材の屋根材固定ボルトを側方から押圧する押圧具とからなることを特徴とするものである。
【０００７】
本発明の屋根補修用金具においては、既設の波形屋根材の屋根材固定ボルトを側方から押圧する押圧具がボルトであって、支持具の母屋材支持面側方に、上記ボルトを螺合するネジ孔が形成されたことが好ましく、既設の波形屋根材の屋根材固定ボルトを押圧するボルトが蝶ネジである屋根補修用金具がより好ましい。一方、既設の波形屋根材の屋根材固定ボルトを側方から押圧する押圧具が楔材であって、母屋材支持面のボルト挿通孔の近傍に楔材を打込む楔材打込み部が設けられ、その楔材打込み部に楔材を打込むことで屋根材固定ボルトを側方から押圧する屋根補修用金具も好ましく、既設の波形屋根材の屋根材固定ボルトを押圧する楔材の斜面に、該屋根材固定ボルトの外周面と係合する弯曲した凹部が一定の間隔で複数形成された屋根補修用金具がより好ましい。
【発明の効果】
【０００８】
本発明の屋根補修用金具は、既設の波形屋根材から上方へ突出している屋根材固定ボルトを、支持具の母屋材支持面に形成されたボルト挿通孔に挿通して、該屋根材固定ボルトを押圧具で側方から押圧するだけで、該屋根材固定ボルトには、押圧具による押圧方向への力が作用すると共に、押圧方向とは逆方向の力が支持具によって作用し、押圧具と支持具のボルト挿通孔内周面で該屋根材固定ボルトを強固に挟持するので、従来の外装材葺替用治具のように、スレート板から突出している既存のボルトに螺合されている締付ナットを一旦緩めたり、再び締め付けたりするという面倒な作業を一切することなく、簡単且つ迅速に屋根補修用金具を既設の波形屋根材に取り付けることができる。
【０００９】
そして、既設の波形屋根材の屋根材固定ボルトを側方から押圧する押圧具がボルトであって、支持具の母屋材支持面側方に、上記ボルトを螺合するネジ孔が形成された屋根補修用金具のように押圧具がボルトであると、支持具の母屋材支持面側方に形成されたネジ孔に、ボルトを締め込むだけで該屋根材固定ボルトを側方から簡単且つ強固に押圧することができる。
【００１０】
特に、既設の波形屋根材の屋根材固定ボルトを押圧するボルトが蝶ネジである屋根補修用金具は、レンチなどの工具を用いることなく直接手で蝶ネジを締め付けることができるので、施工性が非常に良好である。
【００１１】
一方、既設の波形屋根材の屋根材固定ボルトを側方から押圧する押圧具が楔材であって、母屋材支持面のボルト挿通孔の近傍に楔材を打込む楔材打込み部が設けられ、その楔材打込み部に楔材を打込むことで屋根材固定ボルトを側方から押圧する屋根補修用金具のように押圧具が楔材であっても、楔材打込み部に楔材をハンマー等で打込むだけで該屋根材固定ボルトを側方から強固に押圧することができるので、上記押圧具がボルトである屋根補修用金具と同様に、既設の波形屋根材に支持具を簡単且つ確実に取り付けることができる。
【００１２】
特に、既設の波形屋根材の屋根材固定ボルトを押圧する楔材の斜面に、該屋根材固定ボルトの外周面と係合する弯曲した凹部が一定の間隔で複数形成された屋根補修用金具は、楔材を打込んでいくと、該屋根材固定ボルトが弯曲した凹部に嵌まり込んで確実に係合するので、位置ずれすることなく強固に取付けることができる。
【発明を実施するための最良の形態】
【００１３】
以下、図面を参照して本発明の具体的な実施形態を詳述する。
【００１４】
図１は本発明の一実施形態に係る屋根補修用金具の構成部材である支持具を示すものであって、（ａ）は同支持具の平面図、（ｂ）は同支持具の正面図、（ｃ）は同支持具の左側面図、図２は同補修用金具を既設の波形屋根材に載置した状態を示す正面図、図３は同補修用金具の押圧具で既設の波形屋根材の屋根材固定ボルトを押圧する前の状態を示す左側面図、図４は同補修用金具の押圧具で既設の波形屋根材の屋根材固定ボルトを押圧した状態を示す左側面図である。
【００１５】
本発明の屋根補修用金具１は、図２に示すように、既設の波形屋根材４の上に新たな屋根材（不図示）を張り付けるための母屋材８を支持するためのものであって、母屋材８を支持する支持具２と、既設の波形屋根材４から上方へ突出している屋根材固定ボルト５を側方から押圧する押圧具３とで構成されている。
尚、周知のように既設の波形屋根材４として、安価で耐火性、耐水性、耐久性に優れるスレートが多く、新たな屋根材としては、安価で耐久性、耐水性に優れる軽量な合成樹脂製の波板などが好ましい。また、既設の波形屋根材４は屋根材固定ボルト５に、雨漏りを防止する防水パッキン７を介して六角のナット６によって水密的に取付けられている。
【００１６】
支持具２は、図１に示すように、母屋材８を支持する母屋材支持面２ａと、既設の波形屋根材４の山部４ａを跨いでその両側の谷部４ｂ，４ｂに配置される一対の支持脚部２ｂ，２ｂからなるもので、母屋材８及び新たな屋根材の重みに耐え得るように金属で形成されている。
尚、この支持具２を合成樹脂で成形することも可能で、その際は、強度を確保するために母屋材支持面２ａ及び支持脚部２ｂの厚みを増す必要がある。
【００１７】
図１、図２に示すように、母屋材支持面２ａの前側面近傍で支持脚部２ｂ，２ｂの中間地点には、既設の波形屋根材４から上方へ突出している屋根材固定ボルト５を挿通するボルト挿通孔２ｃが穿孔されており、このボルト挿通孔２ｃは、図３、図４に示すように、屋根材固定ボルト５を挿通し易いように、その内周面の内径は、屋根材固定ボルト５の外径よりもやや大径となるように形成されている。
【００１８】
そして、図１（ｃ）に示すように、母屋材支持面２ａの前側面の一部分をコ字状に折り曲げることで、側面部２０ｄと底面部２１ｄからなる押圧補助部２ｄが形成されており、押圧補助部２ｄの側面部２０ｄには押圧具である図３に示す蝶ネジ３を螺合するネジ孔２ｅが形成され、押圧補助部２ｄの底面部２１ｄには屋根材固定ボルト５を挿通する挿通孔２ｆが形成されている。この挿通孔２ｆは、前述した母屋材支持面２ａに形成されたボルト挿通孔２ｃと同径で、ボルト挿通孔２ｃの真下に位置するように穿孔されている。
【００１９】
既設の波形屋根材４の山部４ａを跨いでその両側の谷部４ｂ，４ｂに配置される一対の支持脚部２ｂ，２ｂは、図１（ｂ）に示すように、上記母屋材支持面２ａの左右両端を下方へ略９０°折り曲げることによって形成されたもので、その下端は既設の波形屋根材４の谷部４ｂ，４ｂに確実に載置されるよう外側へ略９０°折り曲げられ、更にその先端は略１５°上方へと折り曲げられている。
【００２０】
一方、前述した支持具２のネジ孔２ｅに螺合されて既設の波形屋根材４の屋根材固定ボルト５を側方から押圧する押圧具３は、通常のボルトでもよいが、本実施形態では、図３、図４に示すように、施工性を更に向上させるため、レンチなどの工具を用いることなく直接手で締め付けることのできる蝶ネジが押圧具３として用いられている。
【００２１】
上記支持具２と上記押圧具（蝶ネジ）３とで構成されている屋根補修用金具１は、建物の屋根材として多く用いられてきた既設の波形屋根材４のサイズに合わせて、前後の長さが１００ｍｍ程度、左右の幅が１５０ｍｍ程度、高さが６０ｍｍ程度、支持脚部２ｂの幅が１８〜２０ｍｍ程度のものが好適に用いられる。
【００２２】
以上のような構成の屋根補修用金具１は、次のようにして既設の波形屋根材４に取付けられる。
【００２３】
即ち、図２に示すように、既設の波形屋根材４の屋根材固定ボルト５を、支持具２の押圧補助部２ｄに形成された挿通孔２ｆと母屋材支持面２ａに形成されたボルト挿通孔２ｃに挿通すると共に、支持具２の支持脚部２ｂ，２ｂの下端面を既設の波形屋根材４の谷部４ｂ，４ｂに載置する。そして、図３に示すように、押圧補助部２ｄの側面部２０ｄに形成されたネジ孔２ｅに蝶ネジ３を螺合していく。
【００２４】
蝶ネジ３を締め込んでいくと蝶ネジ３は矢印Ｐ１の方向へ移動するので、その先端部分が屋根材固定ボルト５の外周面に当接する。蝶ネジ３の先端部分が屋根材固定ボルト５に当接してから、更に蝶ネジ３を締め込むと、蝶ネジ３の先端部分が屋根材固定ボルト５を矢印Ｐ１の方向へと押圧していく。蝶ネジ３で屋根材固定ボルト５を矢印Ｐ１の方向へ押圧すると、屋根材固定ボルト５には矢印Ｐ１方向の力が作用すると共に、支持具２には矢印Ｐ１（押圧方向）とは逆方向（矢印Ｐ２方向）の力が作用することになるので、支持具２は矢印Ｐ２の方向へと移動を始めて、母屋材支持面２ａのボルト挿通孔２ｃと押圧補助部２ｄの挿通孔２ｆの内周面が屋根材固定ボルト５の外周面に当接して、ボルト挿通孔２ｃと挿通孔２ｆで屋根材固定ボルト５を矢印Ｐ２方向へ押圧することになる。
【００２５】
屋根材固定ボルト５を、蝶ネジ３によって矢印Ｐ１方向へ押圧すると共に、支持具２によって矢印Ｐ２方向へと押圧すると、屋根材固定ボルト５は、ボルト挿通孔２ｃの内周面と挿通孔２ｆの内周面と蝶ネジ３の３点で強固に挟持されることになるので、支持具２は既設の波形屋根材４に確実に取付けられる。このように、既設の波形屋根材４に屋根補修用金具１を取付けてから、母屋材支持面２ａに母屋材８を支持させて、新たな屋根材を張り付けることで屋根の補修が完了する。
【００２６】
以上の説明から明らかなように、本発明の屋根補修用金具１は、既設の波形屋根材４から上方へ突出している屋根材固定ボルト５を、支持具２の母屋材支持面２ａに形成されたボルト挿通孔２ｃと押圧補助部２ｄに形成された挿通孔２ｆに挿通して、母屋材支持面２ａ側方に設けられた押圧補助部２ｄに形成されたネジ孔２ｅに蝶ネジ３を螺合することにより側方から押圧するだけで、屋根材固定ボルト５には、矢印Ｐ１の方向へ押圧する力が作用すると共に、矢印Ｐ２方向へも押圧する力が作用する。従って、蝶ネジ３先端と支持具２のボルト挿通孔２ｃ並びに押圧補助部２ｄの挿通孔２ｆの内周面によって屋根材固定ボルト５を挟持することになり、従来の外装材葺替用治具のように、スレート板４から突出している既存のボルト５に螺合されている締付ナット６を一旦緩めたり、再び締め付けたりするという面倒な作業を一切することなく、簡単且つ迅速に屋根補修用金具１を既設の波形屋根材４に取り付けることができる。しかも、押圧具３が蝶ネジ３であるので、レンチなどの工具を用いることなく直接手で蝶ネジ３を締め込むだけで、屋根材固定ボルト５を側方から強固に押圧することができ、施工時間を大幅に短縮することができる、といった顕著な効果を奏する。
【００２７】
図５は本発明の他の実施形態に係る屋根補修用金具の構成部材である支持具を示すものであって、（ａ）は同支持具の平面図、（ｂ）は同支持具の正面図、（ｃ）は同支持具の左側面図、図６は同補修用金具の押圧具を示す平面図、図７は同補修用金具の押圧具で既設の波形屋根材の屋根材固定ボルトを押圧する前の状態を示す平面図、図８は同補修用金具の押圧具で既設の波形屋根材の屋根材固定ボルトを押圧した状態を示す平面図である。
【００２８】
本実施形態の屋根補修用金具１０は、図５に示す支持具２と、図６に示す押圧具３０とで構成されたもので、図５（ａ）に示すように、支持具２の母屋材支持面２ａの後側面近傍に、既設の波形屋根材４の屋根材固定ボルト５を挿通するボルト挿通孔２ｃが形成されている。そして、図５（ａ）（ｂ）に示すように、母屋材支持面２ａ裏面のボルト挿通孔２ｃの近傍には、押圧具である楔材３０を打込む楔材打込み部２ｇが設けられており、図６、図７に示すように、この楔材打込み部２ｇの後側から楔材３０を打込むことで、屋根材固定ボルト５を側方から押圧するようになっている。
【００２９】
この屋根材固定ボルト５を側方から押圧する楔材３０は、図６に示すように、その屋根材固定ボルト５側に位置する斜面に、屋根材固定ボルト５の外周面と確実に係合するように、弯曲した凹部３０ａが一定の間隔（５ｍｍ間隔）で複数個形成されていると共に、その反対面には楔材３０が外れ難くするために、段部３０ｂが形成されている。
【００３０】
上記楔材３０を打込む楔材打込み部２ｇは、図５（ｂ）に示すように、母屋材支持面２ａの裏面に固着一体化された固着部２０ｇの中間に段差部を設けてその固着部２０ｇの下方にボルト挿通部２１ｇを設け、ボルト挿通部２１ｇと母屋材支持面２ａ裏面との間に空間を形成したものであって、ボルト挿通部２１ｇには屋根材固定ボルト５を挿通する挿通孔２ｆが穿孔されている。
この屋根補修用金具１０の他の構成は、前述した図１〜図４に示す実施形態の屋根補修用金具１と同様であるから、同一部材に同一符号を付し、説明を省略する。
【００３１】
以上のような構成の屋根補修用金具１０は、前述した屋根補修用金具１と同様に、既設の波形屋根材４の屋根材固定ボルト５を、支持具２のボルト挿通部２１ｇに形成された挿通孔２ｆと母屋材支持面２ａに形成されたボルト挿通孔２ｃに挿通すると共に、支持具２の支持脚部２ｂ，２ｂの下端面を既設の波形屋根材４の谷部４ｂ，４ｂに載置する。そして、図７、図８に示すように、母屋材支持面２ａの後側から、楔材３０の弯曲した凹部３０ａを屋根材固定ボルト５側に位置させて、ハンマー等（不図示）で打込んでいく。
【００３２】
図８に示すように、楔材３０を打込んでいくと、斜面に形成された弯曲した凹部３０ａが屋根材固定ボルト５の外周面と係合する。更に楔材３０を打込むと、楔材３０は幅が広くなっているので、屋根材固定ボルト５を矢印Ｐ１方向へと押圧する力が強くなる。楔材３０で屋根材固定ボルト５を矢印Ｐ１の方向へ押圧すると、前述した屋根補修用金具１と同様に、屋根材固定ボルト５には矢印Ｐ１方向の力が作用すると共に、支持具２には矢印Ｐ２方向の力が作用するので、支持具２は矢印Ｐ２の方向へと移動を始めて、母屋材支持面２ａのボルト挿通孔２ｃとボルト挿通部２１ｇの挿通孔２ｆの内周面が屋根材固定ボルト５の外周面に当接して、ボルト挿通孔２ｃと挿通孔２ｆで屋根材固定ボルト５を矢印Ｐ２方向へ押圧することになる。
【００３３】
屋根材固定ボルト５を、楔材３０によって矢印Ｐ１方向へ押圧すると共に、支持具２によって矢印Ｐ２方向へと押圧すると、屋根材固定ボルト５は、ボルト挿通孔２ｃ並びに挿通孔２ｆの内周面と、楔材３０の弯曲した凹部３０ａの３点で強固に挟持されることになるので、支持具２は既設の波形屋根材４に確実に取付けられる。
【００３４】
このように押圧具３が楔材３０である屋根補修用金具１０も、前述した屋根補修用金具１と同様に、屋根材固定ボルト５をボルト挿通孔２ｃと挿通孔２ｆに挿通して、楔材打込み部２ｇに楔材３０をハンマー等（不図示）で打込むだけで、屋根材固定ボルト５の外周面が弯曲した凹部３０ａに確実に嵌まり込んで位置ずれすることなく屋根材固定ボルト５を側方から強固に押圧することができる。
【図面の簡単な説明】
【００３５】
【図１】本発明の一実施形態に係る屋根補修用金具の構成部材である支持具を示すものであって、（ａ）は同支持具の平面図、（ｂ）は同支持具の正面図、（ｃ）は同支持具の左側面図である。
【図２】同補修用金具を既設の波形屋根材に載置した状態を示す正面図である。
【図３】同補修用金具の押圧具で既設の波形屋根材の屋根材固定ボルトを押圧する前の状態を示す左側面図である。
【図４】同補修用金具の押圧具で既設の波形屋根材の屋根材固定ボルトを押圧した状態を示す左側面図である。
【図５】本発明の他の実施形態に係る屋根補修用金具の構成部材である支持具を示すものであって、（ａ）は同支持具の平面図、（ｂ）は同支持具の正面図、（ｃ）は同支持具の左側面図である。
【図６】同補修用金具の押圧具を示す平面図である。
【図７】同補修用金具の押圧具で既設の波形屋根材の屋根材固定ボルトを押圧する前の状態を示す平面図である。
【図８】同補修用金具の押圧具で既設の波形屋根材の屋根材固定ボルトを押圧した状態を示す平面図である。
【符号の説明】
【００３６】
１、１０  屋根補修用金具
２    支持具
２ａ  母屋材支持面
２ｂ  支持脚部
２ｃ  ボルト挿通孔
２ｅ  ネジ孔
３    押圧具（蝶ネジ）
３０  押圧具（楔材）
３０ａ  弯曲した凹部
４    既設の波形屋根材
５    屋根材固定ボルト
８    母屋材
【図１】
2008008024.tif 000003
【図２】
2008008024.tif 000004
【図３】
2008008024.tif 000005
【図４】
2008008024.tif 000006
【図５】
2008008024.tif 000007
【図６】
2008008024.tif 000008
【図７】
2008008024.tif 000009
【図８】
2008008024.tif 000010